(57)【要約】【課題】      糸噛みや異物侵入の防止が図れると共にスプ−ルと釣糸の傷付が防止出来てメンテナンス作業も容易な魚釣用リ−ルを提供することである。【解決手段】  リ−ル本体１の側枠１ａ、１ｂのスプ−ルカバ−１ｄ、１ｅの内側に夫々スプ−ル挿入口１ｆ、１ｈが形成され、スプ−ル挿入口１ｆの内周に環状の凹溝１ｇが、スプ−ル挿入口１ｈの内周に環状の凹溝１ｉが形成されている。  スプ−ル２には左右のフランジ部２ｄ、２ｅから夫々外側に突出された筒部２ｆ、２ｇに夫々環状の凹溝２ｈ、２ｉが形成され、環状の凹溝２ｈ、２ｉ内には環状のＯリングからなる弾性部材２３、２４が着脱可能に装着され、弾性部材２３はリ−ル本体１の側枠１ａの環状の凹溝１ｇ内に、弾性部材２４はリ−ル本体１の側枠１ｂの環状の凹溝１ｉ内に対応されて夫々非接触状態で収容配置されている。【選択図】        図２
2006223212.tif 000002
【特許請求の範囲】
【請求項１】
リ−ル本体の側板間に回転自在に支持されたスプ−ルを、一方の側板に支持されたハンドルの操作で巻き取り駆動する魚釣用リ−ルにおいて、前記スプ−ルのフランジ部外周と前記リ−ル本体のスプ−ル挿入口内周の何れか一方に環状の弾性部材を着脱可能に装着すると共に他方の前記弾性部材の対向部位に環状の凹溝を形成し、該環状の凹溝内に前記弾性部材の一部を非接触状態で収納可能としたことを特徴とする魚釣用リ−ル。
【発明の詳細な説明】
【技術分野】
【０００１】
本発明は、リ−ル本体の側板間に釣糸が巻回されるスプ−ルを回転自在に支持した魚釣用リ−ルの改良に関する。
【背景技術】
【０００２】
従来、魚釣用両軸受型リ−ルにおいては、釣糸の放出操作時又は釣糸の巻き取り操作時、特に、釣糸放出の際のスプ−ルの過剰回転による釣糸の緩みによって、釣糸がスプ−ル巻着面より浮き上がってスプ−ルフランジ外周とリ−ル本体のフレ−ム内周との間隙に巻き込まれてスプ−ルが回転しなくなったり、釣糸に傷が付いて糸切れし易くなったり、等の糸噛み現象が発生し易い。
そこで、スプ−ルフランジ外周に一体的に径方向に突起部を設けたり、スプ−ルフランジ外周とリ−ル本体のフレ−ム内周との間に隙間無く弾性部材を介在するようにしたものが、特許文献１及び２で知られている。
【特許文献１】特開平８−７０７３９号公報
【特許文献２】実開昭５２−３３９９１号公報
【発明の開示】
【発明が解決しようとする課題】
【０００３】
解決しようとする問題点は、特許文献１のように、スプ−ルフランジ外周に突起部を設けてリ−ル本体のフレ−ム内周との間からの糸噛みや異物侵入の防止を図るようにする場合、突起部とフレ−ム内周径の寸法管理が難しい（隙間大→糸噛みや異物侵入、隙間小→スプ−ル当たり）と共に、負荷が大きい巻き取り時のスプ−ル軸撓みによるスプ−ル当たり発生で傷が付き易い。
特許文献２のように、スプ−ルフランジ外周とリ−ル本体のフレ−ム内周との間に弾性部材を介在した場合、スプ−ルフランジ外周とフレ−ム内周との接触抵抗により、スプ−ルフリ−回転性が悪く、キャスティング釣法に適さない。
【０００４】
本発明の目的は前記欠点に鑑み、糸噛みや異物侵入の防止が図れると共にスプ−ルと釣糸の傷付が防止出来てメンテナンス作業も容易な魚釣用リ−ルを提供することである。
【課題を解決するための手段】
【０００５】
本発明は、リ−ル本体の側板間に回転自在に支持されたスプ−ルを、一方の側板に支持されたハンドルの操作で巻き取り駆動する魚釣用リ−ルにおいて、前記スプ−ルのフランジ部外周と前記リ−ル本体のスプ−ル挿入口内周の何れか一方に環状の弾性部材を着脱可能に装着すると共に他方の前記弾性部材の対向部位に環状の凹溝を形成し、該環状の凹溝内に前記弾性部材の一部を非接触状態で収納可能としたことを要旨とするものである。
【発明の効果】
【０００６】
本発明により、スプ−ルのフリ−性能の維持を図りながら、スプ−ルのフランジ部外周とリ−ル本体のスプ−ル挿入口の間からの糸噛みや異物侵入等が防止できる。
又、負荷が大きい巻き取り時のスプ−ル軸撓みによるスプ−ル当たり現象が発生しても、弾性部材の接触のため、傷が付かない。
更に又、弾性部材が着脱可能であることにより、リ−ル本体からスプ−ル取り外しが可能となり、釣行後のメンテナンス作業が容易となる。
【発明を実施するための最良の形態】
【０００７】
リ−ル本体１の側枠１ａ側のスプ−ルカバ−１ｄの内側には側枠１ａを突き抜ける透孔からなるスプ−ル挿入口１ｆが形成され、スプ−ル挿入口１ｆの内周に環状の凹溝１ｇが形成されている。
リ−ル本体１の側枠１ｂ側のスプ−ルカバ−１ｅの内側には側枠１ｂを突き抜けないスプ−ル挿入口１ｈが形成され、スプ−ル挿入口１ｈの内周に環状の凹溝１ｉが形成されている。
スプ−ル２には左右のフランジ部２ｄ、２ｅから夫々外側に突出された筒部２ｆ、２ｇと、筒部２ｆ、２ｇに形成された環状の凹溝２ｈ、２ｉとが形成されている。
環状の凹溝２ｈ、２ｉ内には環状のＯリングからなる弾性部材２３、２４が着脱可能に装着されている。
スプ−ル挿入口１ｆからスプ−ル２が挿入されて筒部２ｇがスプ−ル挿入口１ｈ内に、筒部２ｆがスプ−ル挿入口１ｆ内に対応される。
スプ−ル挿入口１ｆに筒部２ｆが挿入された時環状のＯリングからなる弾性部材２３はリ−ル本体１の側枠１ａの環状の凹溝１ｇ内に対応されて非接触状態で収容配置されている。
スプ−ル挿入口１ｈに筒部２ｇが挿入された時環状のＯリングからなる弾性部材２４はリ−ル本体１の側枠１ｂの環状の凹溝１ｉ内に対応されて非接触状態で収容配置されている。
【実施例１】
【０００８】
以下、図示の実施例によって本発明を説明すると、図１、図２は第１実施例で、図１は魚釣用リ−ルの要部断面背面図、図２は魚釣用リ−ルの要部拡大断面背面図である。
【０００９】
魚釣用リ−ルを魚釣用両軸受型リ−ルで述べると、リ−ル本体１の両側枠１ａ、１ｂに夫々左側側板１０と右側側板１１が図示しないビスで取り付けられ、両側枠１ａ、１ｂは図示しない支柱とリ−ル脚１２の固定板１ｃで並行で一体的に保持され、両側枠１ａ、１ｂ間にスプ−ル２がスプ−ル軸３に固定されている。
両側枠１ａ、１ｂの対向する内側にはスプ−ルカバ−１ｄ、１ｅが形成されている。
側枠１ａ側のスプ−ルカバ−１ｄの内側には側枠１ａを突き抜ける透孔からなるスプ−ル挿入口１ｆが形成され、スプ−ル挿入口１ｆの内周に環状の凹溝１ｇが形成されている。
側枠１ｂ側のスプ−ルカバ−１ｅの内側には側枠１ｂを突き抜けないスプ−ル挿入口１ｈが形成され、スプ−ル挿入口１ｈの内周に環状の凹溝１ｉが形成されている。
スプ−ルカバ−１ｅの内側には筒部１ｊが形成されている。
【００１０】
側枠１ａ側の側枠１ａを突き抜ける透孔からなるスプ−ル挿入口１ｆには外側から軸受支持部材４の円板部４ａの外周嵌合部が嵌合されて鍔部４ｂが側枠１ａに図示しないビスで取り付けられている。
軸受支持部材４の円板部４ａの内側には筒部４ｃが形成されて筒部４ｃ内にころがり軸受１３とスラスト軸受１４が保持されている。
円板部４ａの内側には大径の筒部４ｄが形成されている。
側枠１ｂの内側には二段の筒部１ｋ、１ｍが形成されて大小のころがり軸受１５、１６が保持されている。
【００１１】
スプ−ル軸３はころがり軸受１３に軸承される小径部３ａとスプ−ル２が固定される太径部３ｂと、ころがり軸受１５に軸承されるピニオン５側に突出された小径の外方延出端部３ｃとで形成され、外方延出端部３ｃの端部に押圧軸杆１７の一側が当接されている。
小径の外方延出端部３ｃにクラッチ機構を構成する係合部３ｄが形成されている。
ころがり軸受１５にはピニオン５の軸筒５ａが嵌合され、軸筒５ａの内周には外方延出端部３ｃが嵌合され、係合部３ｄ位置の軸筒５ａ内にクラッチ機構を構成する係合凹部５ｂが形成されている。
ピニオン５の中心孔に押圧軸杆１７が軸方向に移動可能に嵌合されている。
ピニオン５の軸筒５ａ外周には周溝が形成されて作動板１８が嵌められ、作動板１８はクラッチ操作レバ−１９で操作されて係合部３ｄと係合凹部５ｂが係合・離脱される。
ピニオン５には駆動軸２０に摩擦結合された駆動歯車２１が噛合され、係合部３ｄと係合凹部５ｂが係合状態の時駆動軸２０に取り付けられたハンドル２２でピニオン５を介してスプ−ル軸３とスプ−ル２が回転される。
【００１２】
スプ−ル２はスプ−ル軸３の太径部３ｂに嵌合固定される筒部２ａと、縦壁２ｂと、釣糸が巻回される釣糸巻回胴部２ｃと、左右のフランジ部２ｄ、２ｅと、左右のフランジ部２ｄ、２ｅから夫々外側に突出された筒部２ｆ、２ｇと、筒部２ｆ、２ｇに形成された環状の凹溝２ｈ、２ｉとで形成されている。
環状の凹溝２ｈ、２ｉ内には環状のＯリングからなる弾性部材２３、２４が着脱可能に装着されている。
スプ−ル挿入口１ｆからスプ−ル２が挿入されて筒部２ｇがスプ−ル挿入口１ｈ内に、筒部２ｆがスプ−ル挿入口１ｆ内に対応される。
スプ−ル挿入口１ｆに筒部２ｆが挿入された時環状のＯリングからなる弾性部材２３はリ−ル本体１の側枠１ａの環状の凹溝１ｇ内に対応されて非接触状態で収容配置されている。
スプ−ル挿入口１ｈに筒部２ｇが挿入された時環状のＯリングからなる弾性部材２４はリ−ル本体１の側枠１ｂの環状の凹溝１ｉ内に対応されて非接触状態で収容配置されている。
スプ−ル２が交換等で引き抜かれる時は、側枠１ａのスプ−ル挿入口１ｆから軸受支持部材４の外周嵌合部が取り外されて、このスプ−ル挿入口１ｆからスプ−ル２が引き抜かれる。
【００１３】
魚釣用両軸受型リ−ルの動作は、スプ−ル軸３の係合部３ｄとピニオン５の係合凹部５ｂが係合されたクラッチＯＮ状態で、スプ−ル２に図示しない釣糸が巻回される方向にハンドル２０が回転されると、駆動軸２０と駆動歯車２１とピニオン５とスプ−ル軸３とスプ−ル２が正回転される。
【００１４】
前記のように魚釣用両軸受型リ−ルが構成されると、スプ−ル２のフリ−性能の維持を図りながら、スプ−ル２のフランジ部２ｄ、２ｅ外周とリ−ル本体１のスプ−ル挿入口１ｆ、１ｈの間からの糸噛みや異物侵入等が防止できる。
又、負荷が大きい巻き取り時のスプ−ル軸３の撓みによるスプ−ル当たり現象が発生しても、弾性部材２３、２４の接触のため、傷が付かない。
更に又、弾性部材２３、２４が着脱可能であることにより、リ−ル本体１からスプ−ル２の取り外しが可能となり、釣行後のメンテナンス作業が容易となる。
【実施例２】
【００１５】
図３は第２実施例で、図３は魚釣用リ−ルの要部拡大断面背面図である。
【００１６】
第２実施例では、側枠１ａ側のスプ−ルカバ−１ｄの内側には側枠１ａを突き抜ける透孔からなるスプ−ル挿入口１ｆが形成され、スプ−ル挿入口１ｆの内周に環状の凹溝１ｇが形成されている。
側枠１ｂ側のスプ−ルカバ−１ｅの内側には側枠１ｂを突き抜けないスプ−ル挿入口１ｈが形成され、スプ−ル挿入口１ｈの内周に環状の凹溝１ｉが形成されている。
環状の凹溝１ｇ内と環状の凹溝１ｉ内には環状のＯリングからなる弾性部材２５、２６が着脱可能に装着されている。
他の構成は前記第１実施例と略同一である。
【００１７】
スプ−ル挿入口１ｆからスプ−ル２が挿入されて筒部２ｇがスプ−ル挿入口１ｈ内に、筒部２ｆがスプ−ル挿入口１ｆ内に対応される。
スプ−ル挿入口１ｆに筒部２ｆが挿入された時環状のＯリングからなる弾性部材２５はスプ−ル２の環状の凹溝２ｈ内に対応されて非接触状態で収容配置されている。
スプ−ル挿入口１ｈに筒部２ｇが挿入された時環状のＯリングからなる弾性部材２６はスプ−ル２の環状の凹溝２ｉ内に対応されて非接触状態で収容配置されている。
【産業上の利用可能性】
【００１８】
前記説明では、魚釣用リ−ルを魚釣用両軸受型リ−ルで述べたが、他の形式の魚釣用片軸受型リ−ルに実施してもよい。
【図面の簡単な説明】
【００１９】
【図１】第１実施例で、魚釣用リ−ルの要部断面背面図である。
【図２】同魚釣用リ−ルの要部拡大断面背面図である。
【図３】第２実施例で、魚釣用リ−ルの要部拡大断面背面図である。
【符号の説明】
【００２０】
１  リ−ル本体
１ｆ、１ｈ  スプ−ル挿入口
１ｇ、１ｉ、２ｈ、２ｉ  環状の凹溝
２  スプ−ル
２ｄ、２ｅ  フランジ部
２０  ハンドル
２３、２４、２５、２６  弾性部材
【図１】
2006223212.tif 000003
【図２】
2006223212.tif 000004
【図３】
2006223212.tif 000005